(57)【特許請求の範囲】
【請求項１】
液透過性のトップシート、液不透過性のバックシート及び両シート間に介在された液体保持性の吸収体を具備してなる、長方形状のおむつ本体と、胴部弾性部材を具備する細帯状の弾性部材付設シートとからなり、
上記弾性部材付設シートは、少なくとも上記おむつ本体の背側部を構成する上方部に、その両側方部がそれぞれ該おむつ本体の左右両側縁部から外方に延出するように配されており、
上記弾性部材付設シートの両側方部におむつ止着用のファスニングテープが配されており、
上記おむつ本体の左右両側縁部には、該おむつ本体の長手方向に沿って設けられた一対の第１レッグ部弾性部材と、一対の該第１レッグ部弾性部材よりも該おむつ本体の幅方向内方に設けられた一対の第２レッグ部弾性部材とが配されており、
上記第１レッグ部弾性部材は、上記おむつ本体の左右両側縁部における上記吸収体が存在しない箇所に配されており、
上記第２レッグ部弾性部材は、上記バックシートと上記吸収体との間に位置し、その両端部よりもその中央部が上記おむつ本体の幅方向内方に変位されて、おむつの股下部中央で折曲されて配されており、
上記第１レッグ部弾性部材と上記第２レッグ部弾性部材とにより３角形状が形成されており、該第１レッグ部弾性部材と該第２レッグ部弾性部材との間に上記吸収体が存在しており、
上記第１レッグ部弾性部材と上記第２レッグ部弾性部材とにより、着用時に着用者の股下に位置する股下部に上記おむつ本体が外方に凸状に起伏してなるポケット部が形成される、
ことを特徴とする使い捨ておむつ。
【請求項２】
上記弾性部材付設シートは２層構造となされており、
上記第１レッグ部弾性部材及び上記第２レッグ部弾性部材は、それらの両端部が、上記弾性部材付設シートに重ならないか又は重なってもそれらの端部が少し重なる程度となるように配されており、
上記胴部弾性部材は、上記弾性部材付設シートの幅方向全域に亘って設けられていることを特徴とする請求項１記載の使い捨ておむつ。
【発明の詳細な説明】
【０００１】
【発明の属する技術分野】
本発明は、脚周りの開放感が良好で、装着感に優れ、更にはフィット性にも優れた使い捨ておむつに関する。
【０００２】
【従来の技術及び発明が解決しようとする課題】
従来より、液透過性のトップシートと、液不透過性のバックシートと、両シート間に介在された液体保持性の吸収体とを具備し、背側部の左右両側縁部におむつ止着用のファスニングテープを有する展開型の使い捨ておむつは、広く用いられている。
しかし、このような構成の従来の使い捨ておむつは、ウエスト部及びレッグ部のフィット性を高めて、漏れ防止性能を向上させるなどのために、おむつを展開した状態における長手方向中央部（股下部）の幅よりも長手方向両端部（腹側部及び背側部）の幅の方が広くなるように、股下部を湾曲させた形状となされていた。このため、従来のパンツ型使い捨ておむつにおいては、下記するような問題があった。
即ち、脚周り部分が着用者の脚及び脚の付け根を必要以上に覆うような構造となっていたため、暑苦しく、装着感が悪い。また、製造時において部材を特殊な形状にカットする必要があるため、生産工程が複雑化し、生産性に劣り、またコストも高い。
このような問題は、特に、夏場や暑い地方において顕著な問題である。
【０００３】
従って、本発明の目的は、脚周りの開放感が良好で、装着感に優れ、更にはフィット性にも優れた使い捨ておむつを提供することにある。
【０００４】
【課題を解決するための手段】
本発明者らは、上記課題を解決するために鋭意検討した結果、長方形状のおむつ本体に、細帯状の弾性部材付設シートを、該弾性部材付設シートの両端部が該おむつ本体の左右両側縁部から外方に延出するように配し、該おむつ本体の左右両側縁部に長手方向に沿って一対の第１レッグ部弾性部材を設け、更に、該第１レッグ部弾性部材よりも該おむつ本体の幅方向内方に一対の第２レッグ部弾性部材を配してなる使い捨ておむつが、上記目的を達成しうることを知見した。
【０００５】
本発明は、上記知見に基づいてなされたもので、液透過性のトップシート、液不透過性のバックシート及び両シート間に介在された液体保持性の吸収体を具備してなる、長方形状のおむつ本体と、胴部弾性部材を具備する細帯状の弾性部材付設シートとからなり、上記弾性部材付設シートは、少なくとも上記おむつ本体の背側部を構成する上方部に、その両側方部がそれぞれ該おむつ本体の左右両側縁部から外方に延出するように配されており、上記弾性部材付設シートの両側方部におむつ止着用のファスニングテープが配されており、上記おむつ本体の左右両側縁部には、該おむつ本体の長手方向に沿って設けられた一対の第１レッグ部弾性部材と、一対の該第１レッグ部弾性部材よりも該おむつ本体の幅方向内方に設けられた一対の第２レッグ部弾性部材とが配されており、上記第１レッグ部弾性部材は、上記おむつ本体の左右両側縁部における上記吸収体が存在しない箇所に配されており、上記第２レッグ部弾性部材は、上記バックシートと上記吸収体との間に位置し、その両端部よりもその中央部が上記おむつ本体の幅方向内方に変位されて、おむつの股下部中央で折曲されて配されており、上記第１レッグ部弾性部材と上記第２レッグ部弾性部材とにより３角形状が形成されており、該第１レッグ部弾性部材と該第２レッグ部弾性部材との間に上記吸収体が存在しており、上記第１レッグ部弾性部材と上記第２レッグ部弾性部材とにより、着用時に着用者の股下に位置する股下部に上記おむつ本体が外方に凸状に起伏してなるポケット部が形成される使い捨ておむつを提供するものである。
【０００６】
【発明の実施の態様】
以下、図面を参照して本発明を更に詳細に説明する。
ここで、図１は、本発明の使い捨ておむつの１形態を示す斜視図であり、図２は、図１に示す使い捨ておむつの展開図であり、図３は、図２のIII-III 拡大断面図であり、図４は、図２のIV−IV断面図である。
また、図５は、図１に示す使い捨ておむつの使用状態を示す概要図である。
【０００７】
本形態の使い捨ておむつ１は、図１及び２に示すように、液透過性のトップシート２、液不透過性のバックシート３及び両シート２、３間に介在された液体保持性の吸収体４を具備してなる、長方形状のおむつ本体１０と、胴部弾性部材５１を具備する細帯状の弾性部材付設シート７とからなり、上記弾性部材付設シート７は、上記おむつ本体１０の背側部Ｂを構成する上方部Ｂ’において、その両側方部７０ａ、７０ｂがそれぞれ上記おむつ本体１０の左右両側縁部１０ａ、１０ｂから外方に延出するように配されており、（上記上方部Ｂ’に配された）上記弾性部材付設シート７の両側方部７０ａ、７０ｂにおむつ止着用の上記ファスニングテープ８が配されており、上記おむつ本体１０の左右両側縁部１０ａ、１０ｂには、該おむつ本体１０の長手方向に沿って設けられた一対の第１レッグ部弾性部材６２と、一対の該第１レッグ部弾性部材６２よりも該おむつ本体１０の幅方向内方に設けられた一対の第２レッグ部弾性部材６３とが配されており、該第２レッグ部弾性部材６３は、その両端部６３ａ、６３ａよりも中央部６３ｂがおむつ本体１０の幅方向内方に変位されている。
【０００８】
また、本形態において用いられる各部材、即ち、上記トップシート２、上記バックシート３及び上記吸収体４については、いずれも、従来これらの形成材料として用いられるものを特に制限なく用いて形成することができる。尚、本形態においては、上記バックシート３として、後述するファスニングテープとの係合性の良い、防水性の透湿フィルムと不織布との積層シートを用いている。
また、上記「胴部」とは、図１及び２に示すように、着用時に着用者のウエスト回り（ウエスト開口周辺）及び胴回りに位置する部分を意味する。
【０００９】
更に詳述すると、図２に示すように、上記おむつ本体１０の外周形を構成している上記トップシート２及び上記バックシート３は、それぞれ、ほぼ同形状であり、上記吸収体４は、上記トップシート２及び上記バックシート３よりもやや小さい長方形状であり、両シート２、３に接着剤を介して接着されている。
上記弾性部材付設シート７は、幅広のシートをその幅方向中心線において２つ折りに折り畳んだ２層構造となされており、全体として細帯状となされている。また、該弾性部材付設シート７は、その端縁が上記おむつ本体の端縁に沿うように、上記トップシート２及び上記バックシート３により挟持固定されている（図３参照）
上記弾性部材付設シート７の幅Ｗ1 は、上記おむつ本体１０の長さＬ1 に対して、該おむつ本体１０の長さＬ1 を１００とした場合に５〜２５とするのが好ましい。また、おむつ本体１０の長さＬ1 は３５０〜５００mmとするのが好ましく、上記弾性部材付設シート７の幅Ｗ1 は、３０〜１００mmとするのが好ましい。尚、上記弾性部材付設シート７の幅Ｗ1 は、上記胴部５の巾にほぼ等しい。
尚、本発明の使い捨ておむつを大人用として用いる場合には、上記長さＬ1 は最大１０００mm迄とすることができ、また上記幅Ｗ1 は最大２００mmとすることができる。
上記弾性部材付設シート７の延出長さＬ2 は、上記おむつ本体１０の幅Ｗ2 に対して、該おむつ本体１０の幅Ｗ2 を１００とした場合に３０〜２００とするのが好ましい。また、上記弾性部材付設シート７の延出長さＬ2 は、３５〜１００mmとするのが好ましく、上記おむつ本体１０の幅Ｗ2 は、３００〜４００mmとするのが好ましい。
【００１０】
また、上記胴部弾性部材５１は、図２及び３に示すように上記弾性部材付設シート７の幅方向全域に亘ってほぼ等間隔に６本設けられている。
各上記胴部弾性部材５１間の間隔Ｄ1 は、３〜２０mmとするのが好ましい。
【００１１】
上記第１レッグ部弾性部材６２は、図４に示すように、上記おむつ本体１０の左右両側縁部における吸収体４が存在しない箇所において、該おむつ本体１０の長手方向に沿って２本づつ配されており、上記トップシート２と上記バックシート３とにより挟持固定されている。
また、上記第２レッグ部弾性部材６３は、図２に示すように、おむつの股下部Ｃ中央に位置する中央部６３ｂが折曲点となるように、該中央部６３ｂで折曲された折線状に３本づつ配されている。また、該第２レッグ部弾性部材６３は、上記バックシート３と上記吸収体４との間に位置するように配されている。
そして、上記第１レッグ部弾性部材６２と上記第２レッグ部弾性部材６３とにより、３角形状が形成されるようになされている。また、上記第１レッグ部弾性部材６２と上記第２レッグ部弾性部材６３との間には、吸収体４が存在するようになされている。
また、該第１レッグ部弾性部材６２及び第２レッグ部弾性部材６３は、図２に示すように、いずれも、それらの両端部が、上記弾性部材付設シート７に重ならないか又は重なってもそれらの端部が少し重なる程度となるように配されている。即ち、上記第１及び第２レッグ部弾性部材は、該第１及び第２レッグ部弾性部材６２、６３により、上記弾性部材付設シート７におむつの長手方向への弾性力が加わってギャザーが形成されることのないように配するのが、フィット性や装着感の点から好ましい。
【００１２】
上記第１レッグ部弾性部材６２と上記第２レッグ部弾性部材６３との股下部Ｃの中央部における間隔Ｄ2（図４参照）は、５〜１５０mmとするのが好ましい。
また、股下部Ｃの中央部における各第２レッグ部弾性部材６３、６３間の間隔Ｄ3（図２参照）は、−１５０〜１５０mmとするのが好ましい。（尚、−は、各第２レッグ部弾性部材６３、６３が交差する場合である）
【００１３】
また、上記ファスニングテープ８は、通常公知のものと同様に、おむつの背側部側縁部に固着された固着部８１と使用時におむつの腹側部Ａのバックシート３に当接されて係合させる止着部８２とからなる。また、本形態においては、上記止着部８２は、例えば、「マジックテープ」（商品名、クラレ社製）等のいわゆる機械的ファスナーのオス材シートを具備してなっている。そして、上記ファスニングテープ８は、不使用時には、上記固着部８１に上記止着部８２を剥離自在に当接・係合させておけるようになされている。
【００１４】
ここで、上記弾性部材付設シート７としては、下記する形成材料からなるシートなどを好ましく挙げることができる。
不織布、フィルム、布などが用いられ、特に、通気性、肌触りの点で不織布が好ましい。
【００１５】
また、上記胴部弾性部材５１並びに第１及び２レッグ部弾性部材６２、６３としては、通常使い捨ておむつに用いられているものであれば特に制限なく用いることができるが、上記胴部弾性部材５１の太さは、０．１〜０．５mmとするのが好ましく、上記第１レッグ部弾性部材６２の太さは、０．１〜０．５mmとするのが好ましく、上記第２レッグ部弾性部材６３の太さは、０．１〜０．５mmとするのが好ましい。更に、上記胴部弾性部材５１の弾性率は、１．０〜５．０×１０6 Paとするのが好ましく、上記第１レッグ部弾性部材６２の弾性率は、１．０〜５．０×１０6 Paとするのが好ましく、上記第２レッグ部弾性部材６３の弾性率は、１．０〜５．０×１０6 Paとするのが好ましい。
尚、上記弾性率は、下記の如くして測定されるものである。
弾性率は、「レオメーターＤＭＳ２００」（セイコーインストルメンツ社製）を用いて常法に準じて測定。
各第１及び第２レッグ部弾性部材の伸張率は、２０〜３００％とするのが好ましい。
【００１６】
本形態の展開型の使い捨ておむつ１は、通常公知の展開型の使い捨ておむつと同様にして使用することができる。
具体的には、図５に示すように、従来の展開型の使い捨ておむつと同様にして、ファスニングテープ８を腹側部Ａのバックシート３に係合させることにより、装着して用いることができる。そして、本形態の使い捨ておむつ１は、上述の構成を具備しているため、脚周りの開放感に優れている。また、上記第１及び第２レッグ部弾性部材６２、６３を有しているため、脚周りの開放感に優れた構成としても、フィット性を損なうことがなく、フィット性に優れ、漏れ防止性に優れたものである。
更に、本形態の展開型の使い捨ておむつ１は、図５に示すように、股下部に３つ、使い捨ておむつのおむつ本体１０が外方に凸状に起伏してなるポケット部９ｂ、９ｃが形成されている。即ち、本形態の展開型の使い捨ておむつ１は、上記第１及び第２レッグ部弾性部材６２、６３により、着用時に着用者の股下に位置する股下部Ｃにポケット部９ｂ、９ｃが形成されるようになされている。そして、該ポケット部９ｂ、９ｃがあることにより、更に漏れ防止性が向上されている。また、背側部Ｂにも、上記第１及び第２レッグ部弾性部材６２、６３と上記胴部弾性部材５１とにより、ポケット部（図示せず）が形成されている。
【００１７】
本形態の使い捨ておむつは、好ましくは、下記の如くして製造することができる。
即ち、上記トップシート２上に上記第１及び第２レッグ部弾性部材６２、６３を配した後、上記吸収体４を載置し、また、別に上記胴部弾性部材５１を配してなる上記弾性部材付設シート７を上記トップシート２上に配し、更に該吸収体４及び該弾性部材付設シート７を覆うように上記バックシート３を配して弾性部材付設シートが配されたおむつ本体を形成する。次いで、上記弾性部材付設シート７における上記おむつ本体１０から延出されている部分の縁部に上記ファスニングテープを配して本形態の使い捨ておむつを得ることができる。
【００１８】
次いで、図６及び７を参照して本発明の使い捨ておむつの他の形態について説明する。
ここで、図６は、本発明の使い捨ておむつの他の形態を示す斜視図であり、図７は、その展開図である。
図６及び７に示す本形態の使い捨ておむつ１は、ファスニングテープ８ａとして、止着テープのみからなるものを用いている。即ち、本形態の使い捨ておむつは、機械的ファスナーのオス材からなるファスニングテープ８ａを上記弾性部材付設シート７の延出された内端部７ａ、７ｂに固設することにより形成されている。
【００１９】
尚、本発明の使い捨ておむつは、上述の形態に制限されるものではなく、本発明の趣旨を逸脱しない範囲で種々変更可能である。
例えば、上述の形態においては、上方部Ｂ’のみに上記弾性部材付設シート７が配されてなるものを例示して説明したが、上記弾性部材付設シート７は、腹側部Ａを構成する下方部Ａ’にも設けることができる。
また、上述の形態においては、上記ファスニングテープ８をバックシート３に直接当接させて係合させるものを例示して説明したが、バックシートの形成材料は、通常使い捨ておむつのバックシートとして用いられるものであれば、特に制限なく用いることができる。また、ファスニングテープ及びランディングテープの組み合わせも自由であり、ファスニングテープとして止着部が上記オス材からなるものを用い、ランディングテープとして該オス材と係合可能なメス材を用いたり、ファスニンングテープとして止着部が粘着剤が塗布されたテープ材を用い、ランディングテープとして剥離処理されたテープを用いることができる。
【００２０】
【発明の効果】
本発明の使い捨ておむつは、脚周りの開放感が良好で、装着感に優れ、更にはフィット性にも優れたものである。
【図面の簡単な説明】
【図１】図１は、本発明の使い捨ておむつの１形態を示す斜視図である。
【図２】図２は、図１に示す使い捨ておむつの展開図である。
【図３】図３は、図２のIII -III拡大断面図である。
【図４】図４は、図２のIV−IV拡大断面図である。
【図５】図５は、図１に示す使い捨ておむつの使用状態を示す概要図である。
【図６】図６は、本発明の使い捨ておむつの他の形態を示す斜視図である。
【図７】図７は、図６に示す使い捨ておむつの展開図である。
【符号の説明】
１  使い捨ておむつ
２  トップシート
３  バックシート
４  吸収体
５  胴部
６  レッグ部
７  弾性部材付設シート
７ａ、７ｂ  側方部
８  ファスニングテープ
１０  おむつ本体
１０ａ、１０ｂ  側縁
５１  胴部弾性部材
６２  第１レッグ部弾性部材
６３  第２レッグ部弾性部材
Ａ  腹側部
Ｂ  背側部
Ｃ  股下部
【図１】
0004052704.tif 000002
【図２】
0004052704.tif 000003
【図３】
0004052704.tif 000004
【図４】
0004052704.tif 000005
【図５】
0004052704.tif 000006
【図６】
0004052704.tif 000007
【図７】
0004052704.tif 000008